(57)【要約】【課題】高価な照明器具を用いることなく、吹き抜け空間を効率よく照射出来、照明器具の施工、メンテナンスが容易な住宅を提供する。【解決手段】上階と下階が上下に連通された吹き抜け空間３の天井面に、可視光線反射率が高い化粧板４が取着され、下階の側壁に前記化粧板４を照射する照明器具５が取着されている。【選択図】　　図１
2004076324.tif 000002
【特許請求の範囲】
【請求項１】
上階と下階が上下に連通された吹き抜け空間の天井面に、可視光線反射率が高い化粧板が取着され、下階の側壁に前記化粧板を照射する照明器具が取着されていることを特徴とする住宅。
【請求項２】
吹き抜け空間が工場生産された箱型の下階ユニットと上階ユニットとを現場で上下に接合することにより形成され、吹き抜け空間の天井面に化粧板が工場に於いて取着されていることを特徴とする請求項１に記載の住宅。
【請求項３】
下階の側壁に照明器具が工場に於いて取着されていることを特徴とする請求項２に記載の住宅。
【発明の詳細な説明】
【０００１】
【発明の属する技術分野】
本発明は吹き抜け空間を有する住宅に関する。
【０００２】
【従来の技術】
階段のように上階と下階が上下に連通された吹き抜け空間に配設される照明器具として、上階の明るさが確保されるよう、天井付照明器具を採用した場合、電球の交換等のメンテナンスが困難である為、天井からペンダントライトを昇降自在に吊り下げることは、例えば、特開２０００−２００５０３号公報に示されているように、公知である。
【０００３】
【発明が解決しようとする課題】
しかしながら、このような照明器具は、一般の照明器具に比して高価であると共に、施工時に足場等が必要であるという問題があった。
【０００４】
本発明は、上記従来の問題点を解消し、高価な照明器具を用いることなく、吹き抜け空間を効率よく照射出来、照明器具の施工、メンテナンスが容易な住宅を提供することを目的とする。
【０００５】
【課題を解決するための手段】
請求項１の発明の住宅は、上階と下階が上下に連通された吹き抜け空間の天井面に、可視光線反射率が高い化粧板が取着され、下階の側壁に前記化粧板を照射する照明器具が取着されていることを特徴とする。
【０００６】
請求項２の発明の住宅は、更に、吹き抜け空間が工場生産された箱型の下階ユニットと上階ユニットとを現場で上下に接合することにより形成され、吹き抜け空間の天井面に化粧板が工場に於いて取着されていることを特徴とする。
【０００７】
請求項３の発明の住宅は、更に、下階の側壁に照明器具が工場に於いて取着されていることを特徴とする。
【０００８】
本発明の住宅に於いて、上階と下階が上下に連通された吹き抜け空間の天井面に取着される可視光線反射率が高い化粧板の材質は、特に限定されず、例えば、アルミニウム等の金属、ポリカーボネート（ＰＣ）やポリプロピレン（ＰＰ）等の硬質熱可塑性樹脂、金属と熱可塑性樹脂との積層体等が挙げられる。
【０００９】
化粧板は、可視光線を床面側（下方）に効率よく照射出来るよう、可視光線反射率が９０％以上となされるのが好ましい。可視光線反射率は、ＪＩＳ　Ｋ−７１０５に準拠して測定される。
【００１０】
化粧板の可視光線反射率を向上させる手段は、特に限定されず、例えば、表面に可視光線反射層を設けても、化粧板が硬質熱可塑性樹脂よりなる場合には、四三酸化鉄、二酸化チタン等の金属酸化物、アルミニウム、銅もしくは黄銅等の銅合金の鱗片状粉末、酸化チタン被覆された雲母粉末等の無機顔料を混合しても、何れでもよい。
【００１１】
表面に可視光線反射層を設ける手段は、特に限定されず、例えば、二酸化チタンや酸化亜鉛の微粉末等の可視光線散乱剤を含有する塗料等を塗装しても、可視光線散乱剤を含有する熱可塑性樹脂フィルムで被覆しても、何れでもよい。
【００１２】
化粧板の表面には、略半球状等の微小な凹陥部を縦横、斜め、放射線状、同心円状等に多数並設して、反射された可視光線の拡散を助けるようにしてもよい。化粧板の周縁は、天井面と壁面との隅角部に於ける反射効率が向上するよう、下方に湾曲されるのが好ましい。
【００１３】
化粧板に好適に用いられる硬質熱可塑性樹脂の市販品としては、例えば、帝人化成社製「パンライトＬＤ−１０００ＲＭ」「パンライトＬＮ−１０００ＲＭ」、日本ジーイープラスチック社製「レキサンＭＬ４３５１」「レキサンＬＸ２８０１」、出光興産社製「タフロン高反射グレード」等のＰＣを主構成成分とする硬質熱可塑性樹脂が挙げられる。
【００１４】
工場生産された箱型の下階ユニットと上階ユニットとを現場で上下に接合することにより形成された吹き抜け空間の天井面に化粧板が工場に於いて取着されている場合には、現場に於ける足場の不安定な取付作業が不要となり、取付工数及び費用を節減することが出来る。
【００１５】
本発明の住宅に於いて、下階の側壁に取着される化粧板を照射する照明器具の形状は、特に限定されず、例えば、壁直付灯であっても、アーム等で張出されたブラケットであっても、何れでもよい。
【００１６】
照明器具は、光源が直接目に入って眩しくならないよう、グローブもしくはカバーで被覆されるのが好ましい。グローブもしくはカバーの形状は、照明器具の形状に準じて決定され特に限定されないが、例えば、壁直付灯の場合には略半逆円錐状、ブラケットの場合には略逆円錐状等、上部が下部より拡開された形状となされるのが好ましい。
【００１７】
光源を覆うグローブの側面部もしくはカバーの材質は、可視光線を天井面側（上方）に効率よく照射出来るよう、可視光線反射率が９０％以上の硬質熱可塑性樹脂となされるのが好ましい。
【００１８】
グローブの側面部と可視光線が透過される上面部とを結合する手段は、特に限定されず、例えば、二色射出成形機を用いて一体成形しても、別体に構成された両者を超音波溶着もしくは接着により一体化しても、何れでもよい。
【００１９】
照明器具は下階の側壁に取着されている為、施工や電球の取替等のメンテナンスを容易に行うことが出来る。照明器具が工場に於いて取着されている場合には、現場に於ける取付作業が不要となり、取付工数及び費用を節減することが出来る。
【００２０】
【発明の実施の形態】
以下、本発明の実施例を図面に基づいて説明する。
図１は本発明の住宅の吹き抜け空間を示す断面図、図２は図１に示されている本発明の住宅の吹き抜け空間の斜視図、図３は本発明の住宅の吹き抜け空間を形成する箱型の下階ユニットと上階ユニットを分離した状態を示す斜視図である。
【００２１】
図１に於いて、１は工場生産された箱型の下階ユニットであって、下階ユニット１の天井板が部分的に欠除された空間に、図２に示されているように、中間に踊り場を有するＵ字階段１１が配設されている。
【００２２】
２は工場生産された箱型の上階ユニット２であって、図３に示されているように、下階ユニット１の天井板欠除部分と上階ユニット２の床板欠除部分とを一致させて接合することによって、上階と下階が上下に連通された吹き抜け空間３が形成されている。
【００２３】
吹き抜け空間３を構成する上階ユニット２の天井面には、表面に略半球状の微小な凹陥部４１が多数並設された、可視光線反射率が高い化粧板４が工場に於いて取着されている。
【００２４】
吹き抜け空間３を構成する下階ユニット１の側壁には、光源である白熱電球と、これを覆う、略逆半円錐状の上部が下部より拡開されたカバーによって構成された照明器具５が工場に於いて取着されており、足場がなくとも電球の交換等のメンテナンスを行うことが出来るようなされている。
【００２５】
照明器具５の光源から前方に照射された可視光線は、光源を覆うカバーにより上方に反射され、光源から直接上方に照射された可視光線と共に、吹き抜け空間３の天井面の化粧板４に向けて照射される。化粧板４に到達した可視光線は、下方に反射されて吹き抜け空間３内を効率よく照射出来るようなされている。
【００２６】
【発明の効果】
本発明の住宅は、叙上の通り構成されているので、高価な照明器具を用いることなく、吹き抜け空間を効率よく照射出来、照明器具の施工、メンテナンスが容易である。
【図面の簡単な説明】
【図１】本発明の住宅の吹き抜け空間を示す断面図。
【図２】図１に示されている本発明の住宅の吹き抜け空間の斜視図。
【図３】本発明の住宅の吹き抜け空間を形成する箱型の下階ユニットと上階ユニットを分離した状態を示す斜視図。
【符号の説明】
１　下階ユニット
２　　上階ユニット
３　吹き抜け空間
４　化粧板
５　照明器具
１１　　階段
４１　　凹陥部
【図１】
2004076324.tif 000003
【図２】
2004076324.tif 000004
【図３】
2004076324.tif 000005